(57)【要約】【課題】所望のロック機能を一つのスプリング部材で実現しつつ、組み付け工数を削減すること。【解決手段】グラブボックスロック装置は、グラブボックスに取り付けられ、上下方向に延びる軸部を有するベース部材と、ベース部材に軸部を中心にして閉位置と開位置との間で回動可能に支持されるノブ部材と、長手方向中心部でベース部材に揺動可能に支持され、一端部でノブ部材に当接し、グラブボックスのロック位置とロック解除位置との間で揺動するアーム部材と、軸部に回転可能に外挿され、一端部でノブ部材に係止され、他端部でアーム部材の他端部に係止され、ノブ部材を閉位置へ回動させかつアーム部材をロック位置へ揺動させる付勢力を発生するスプリング部材と、を備える。スプリング部材の一端部がノブ部材を閉位置へ回動させる軸部回り回転方向と、スプリング部材の他端部がアーム部材をロック位置へ揺動させる軸部回り回転方向と、は互いに逆向きである。【選択図】図２
2020084732.tif 000002
【特許請求の範囲】
【請求項１】
グラブボックスに取り付けられ、所定方向に延びる軸部を有するベース部材と、
前記グラブボックスの表側に配置され、前記ベース部材に前記軸部を中心にして閉位置と開位置との間で回動可能に支持されるノブ部材と、
長手方向中心部で前記ベース部材に揺動可能に支持され、一端部で前記ノブ部材に当接し、前記グラブボックスをロックさせるロック位置と前記グラブボックスのロックを解除させるロック解除位置との間で揺動するアーム部材と、
前記軸部に回転可能に外挿され、一端部で前記ノブ部材に係止され、他端部で前記アーム部材の他端部に係止され、前記軸部の回りに前記ノブ部材を閉位置へ回動させると共に前記アーム部材を前記ロック位置へ揺動させる付勢力を発生するスプリング部材と、
を備え、
前記スプリング部材は、一端部が前記ノブ部材を閉位置へ回動させる前記軸部回りの回転方向と、他端部が前記アーム部材を前記ロック位置へ揺動させる前記軸部回りの回転方向と、が互いに逆向きであるように構成されている、グラブボックスロック装置。
【請求項２】
前記スプリング部材は、前記ノブ部材の閉位置側から開位置側への回動時、前記ノブ部材との係止により前記スプリング部材の一端部側が前記軸部回りで回転する回転方向と、前記ノブ部材と前記アーム部材との当接に伴う前記アーム部材の揺動により前記スプリング部材の他端部側が前記軸部回りで回転する回転方向と、が互いに逆向きであるように構成されている、請求項１に記載されたグラブボックスロック装置。
【請求項３】
前記スプリング部材による前記付勢力は、前記ノブ部材の閉位置側から開位置側にかけて大きくなる、請求項１又は２に記載されたグラブボックスロック装置。
【請求項４】
前記ノブ部材は、前記アーム部材に向けて延出された、前記アーム部材の一端部に当接するアーム用当接部を有する、請求項１乃至３の何れか一項に記載されたグラブボックスロック装置。
【発明の詳細な説明】
【技術分野】
【０００１】
本発明は、例えば車両に搭載されるグラブボックスロック装置に関する。
【背景技術】
【０００２】
従来、例えば車両に搭載されるグラブボックスロック装置が知られている（例えば、特許文献１）。グラブボックスロック装置は、ベース部材と、ノブ部材と、ドグ部材と、スプリング部材と、を備えている。ベース部材は、グラブボックスに取り付けられている。ノブ部材は、グラブボックスの表側に配置された、操作者が開操作することが可能な部材であって、ベース部材に閉位置と開位置との間で回動可能に支持されている。ノブ部材は、ドグ部材に係止されている。ドグ部材は、ベース部材に、グラブボックス側のストライカに係合する係合位置とその係合が解除される係合解除位置との間で移動可能に取り付けられている。スプリング部材は、中央部でベース部材に支持固定されており、一端部でノブ部材に係止され、他端部でドグ部材に係止されている。
【０００３】
上記のグラブボックスロック装置において、スプリング部材の中央部よりも一端部側でノブ部材が閉位置へ付勢され、スプリング部材の中央部よりも他端部側でドグ部材が係合位置へ付勢されている。すなわち、一つのスプリング部材を用いてノブ部材及びドグ部材が個別に独立して閉位置や係合位置へ付勢されている。ノブ部材は、スプリング部材の一端側から付勢力が付与された状態で所定の閉位置に規制されて位置固定されている。ドグ部材は、スプリング部材の他端側から付勢力が付与された状態で所定の係合位置に規制されて位置固定されている。
【０００４】
上記のグラブボックスロック装置において、ノブ部材が閉位置から開操作された際、スプリング部材からそのノブ部材に付与される閉位置方向への付勢力が大きくなるので、ノブ部材の開操作時における荷重出しを実現することができる。また、スプリング部材からドグ部材に付与される係合位置方向への付勢力が大きくなるので、そのドグ部材の係合解除位置への移動後、ノブ部材の開操作解除後にそのドグ部材を係合解除位置から係合位置まで自動的に復元する動作を実現させることができる。更に、グラブボックスが開扉された状態から閉扉される際、ストライカとの当接によりドグ部材が係合位置から係合解除位置へ移動しても、直ちにスプリング部材の付勢力によりドグ部材が係合解除位置から係合位置へ戻されるので、ノブ部材が開位置側へ回動するのを防止することができ、これにより、グラブボックスの開扉から閉扉への移行時におけるノブ部材のガタツキを防止することができる。
【先行技術文献】
【特許文献】
【０００５】
【特許文献１】特開平８−２０７６６８号公報
【発明の概要】
【発明が解決しようとする課題】
【０００６】
しかしながら、上記のグラブボックスロック装置では、ノブ部材とドグ部材とを個別に閉位置や係合位置へ付勢するためにスプリング部材の中央部をベース部材に支持固定することが必要であるので、組み付け工数が増加してしまう。
【０００７】
本発明は、このような点に鑑みてなされたものであり、所望のロック機能を一つのスプリング部材で実現しつつ、組み付け工数を削減することが可能なグラブボックスロック装置を提供することを目的とする。
【課題を解決するための手段】
【０００８】
本発明の一態様は、グラブボックスに取り付けられ、所定方向に延びる軸部を有するベース部材と、前記グラブボックスの表側に配置され、前記ベース部材に前記軸部を中心にして閉位置と開位置との間で回動可能に支持されるノブ部材と、長手方向中心部で前記ベース部材に揺動可能に支持され、一端部で前記ノブ部材に当接し、前記グラブボックスをロックさせるロック位置と前記グラブボックスのロックを解除させるロック解除位置との間で揺動するアーム部材と、前記軸部に回転可能に外挿され、一端部で前記ノブ部材に係止され、他端部で前記アーム部材の他端部に係止され、前記軸部の回りに前記ノブ部材を閉位置へ回動させると共に前記アーム部材を前記ロック位置へ揺動させる付勢力を発生するスプリング部材と、を備え、前記スプリング部材は、一端部が前記ノブ部材を閉位置へ回動させる前記軸部回りの回転方向と、他端部が前記アーム部材を前記ロック位置へ揺動させる前記軸部回りの回転方向と、が互いに逆向きであるように構成されている、グラブボックスロック装置である。
【０００９】
この構成によれば、グラブボックスを開閉させるロック機能を一つのスプリング部材を用いて実現することができる。また、このスプリング部材は、ベース部材の軸部に回転可能に外挿されており、スプリング部材の一端部がノブ部材を閉位置へ回動させる軸部回りの回転方向と、スプリング部材の他端部がアーム部材をロック位置へ回動させる軸部回りの回転方向と、は互いに逆向きである。この構造によれば、スプリング部材の中央部をベース部材に固定具を用いて固定することは不要であるので、グラブボックスロック装置の組み付け工数を削減することができる。
【図面の簡単な説明】
【００１０】
【図１】一実施形態に係るグラブボックスロック装置が適用されるグラブボックスの斜視図である。
【図２】実施形態のグラブボックスロック装置の分解斜視図である。
【図３】実施形態のグラブボックスロック装置を鉛直方向を含む面で切断した際の断面図である。
【図４】実施形態のグラブボックスロック装置を水平方向を含む面で切断した際の断面図（但し、ノブ閉位置を実線で、ノブ開位置を破線で、それぞれ示す。）である。
【図５】実施形態のグラブボックスロック装置が備えるベース部材を水平方向を含む面で切断した際の断面図である。
【図６】実施形態のグラブボックスロック装置におけるノブ閉位置での概略上面図である。
【図７】実施形態のグラブボックスロック装置におけるノブ閉位置での背面図である。
【図８】実施形態のグラブボックスロック装置におけるノブ開位置での概略上面図である。
【図９】実施形態のグラブボックスロック装置におけるノブ開位置での背面図である。
【発明を実施するための形態】
【００１１】
以下、図面を用いて、本発明に係るグラブボックスロック装置の具体的な実施形態について説明する。
【００１２】
一実施形態のグラブボックスロック装置１は、車両のグラブボックス２に取り付けられ、そのグラブボックス２を開閉するためのロック装置である。グラブボックス２は、車室内の助手席前のインストルメントパネルなどの内装部材に設置される収納部であって、インストルメントパネルなどに対して開閉される。グラブボックスロック装置１は、図１、図２、図３、及び図４に示す如く、ベース部材１０と、ノブ部材２０と、アーム部材３０と、スプリング部材４０と、を備えている。グラブボックスロック装置１は、ベース部材１０と、ノブ部材２０と、アーム部材３０と、スプリング部材４０と、により構成されている。
【００１３】
ベース部材１０は、グラブボックス２に取り付けられ固定される部材である。ベース部材１０は、グラブボックス２の表面裏側に配置されている。ベース部材１０は、板壁部１１と、水平部１２と、軸部１３と、を有している。板壁部１１は、グラブボックス２の表面裏側に対して平行に広がるように形成されている。水平部１２は、図５に示す如く、板壁部１１から水平に広がるように突出して形成されている。水平部１２は、板壁部１１の上下二箇所に設けられている。軸部１３は、円筒状に形成されている。軸部１３は、上下二箇所に設けられており、上下二箇所の水平部１２から上下方向に延びている。以下、上方側の水平部１２及び軸部１３を上方水平部１２ｕ及び上方軸部１３ｕと、下方側の水平部１２及び軸部１３を下方水平部１２ｄ及び下方軸部１３ｄと、それぞれ称す。
【００１４】
上方軸部１３ｕは、上方水平部１２ｕの上面から上方に延びている。下方軸部１３ｄは、下方水平部１２ｄの下面から下方に延びている。上方水平部１２ｕには、貫通孔１４ｕが設けられている。貫通孔１４ｕは、上方水平部１２ｕを上下方向に貫通しており、上方軸部１３ｕの中空部に連通している。下方水平部１２ｄには、貫通孔１４ｄが設けられている。貫通孔１４ｄは、下方水平部１２ｄを上下方向に貫通しており、下方軸部１３ｄの中空部に連通している。ベース部材１０には、上方水平部１２ｕと下方水平部１２ｄとの間に空間が形成されている。
【００１５】
水平部１２におけるグラブボックス２の表側の端部は、後に詳述するノブ部材２０が軸部１３を中心にして回動できるように形成されている。また、この水平部１２の端部は、ノブ部材２０が開位置側から閉位置に達した際にそのノブ部材２０に当接することで、ノブ部材２０の閉位置を超える回動を規制するように形成されている。
【００１６】
ノブ部材２０は、操作者が開操作することが可能な板状の部材である。ノブ部材２０は、グラブボックス２の表面に配置されている。ノブ部材２０は、操作者がグラブボックス２との間に手指を挿入してノブ部材２０の一端側（図１や図２における右側）を手前に引っ張ることによりグラブボックス２を開動作させる操作部である。ノブ部材２０は、収容部２１を有している。収容部２１は、ベース部材１０の上方水平部１２ｕと下方水平部１２ｄとの間の空間に収容される部位である。
【００１７】
収容部２１には、挿通部２２，２３が設けられている。挿通部２２，２３はそれぞれ、円筒状又は円柱状に形成されている。挿通部２２は、収容部２１の上部に設けられており、上方へ突出している。挿通部２３は、収容部２１の下部に設けられており、下方へ突出している。挿通部２２は、上方水平部１２ｕの貫通孔１４ｕに挿通されている。挿通部２３は、下方水平部１２ｄの貫通孔１４ｄに挿通されている。ノブ部材２０は、ベース部材１０に挿通部２２，２３すなわち上方軸部１３ｕ及び下方軸部１３ｄ（すなわち、回動中心Ｏ１）を中心にして回動可能に支持されている。ノブ部材２０は、グラブボックス２の表面に対して平行な閉位置と、グラブボックス２を開くための開位置との間で回動可能である。
【００１８】
ノブ部材２０は、図３、図４、図６、及び図８に示す如く、アーム用当接部２４と、スプリング用係止部２５と、を有している。アーム用当接部２４は、ノブ部材２０の板状本体からグラブボックス２の表面裏側に向けて延出しており、後に詳述するアーム部材３０に当接している。アーム用当接部２４は、ノブ部材２０の回動をアーム部材３０に伝達する役割を有している。スプリング用係止部２５は、後に詳述するスプリング部材４０の一端部４０ａが係止される部位である。スプリング用係止部２５は、スプリング部材４０の一端部４０ａが嵌るように溝状に形成されている。
【００１９】
アーム部材３０は、ベース部材１０に対して揺動する部材であって、ベース部材１０に揺動可能に支持されている。アーム部材３０は、ベース部材１０の裏側に配置されている。アーム部材３０は、円筒状の軸部３１を有している。軸部３１は、アーム長手方向中心部に設けられている。軸部３１は、ベース部材１０の裏面に設けられた軸部１５に外挿されている。軸部１５は、ベース部材１０の板壁部１１の裏面から水平方向奥側へ円筒状に突出している。軸部１５は、上下二箇所に設けられており、板壁部１１から水平方向奥側に延びている。軸部３１は、二箇所の軸部１５のうち下側の軸部１５に外挿されている。アーム部材３０は、アーム長手方向中心部でベース部材１０に揺動可能に支持されている（揺動中心Ｏ２）。
【００２０】
アーム部材３０は、揺動中心Ｏ２から上方に延びる上部３０ｕと、揺動中心Ｏ２から下方に延びる下部３０ｄと、を有している。アーム部材３０の上部３０ｕ及び下部３０ｄにはそれぞれ、図７及び図９に示す如く、グラブボックス２を開閉する閂３が連結されている。左側の閂３は、アーム部材３０の上部３０ｕに回動可能に支持されている。左側の閂３の先端部は、グラブボックス２に対して左側に位置する内装部材に係脱する。右側の閂３は、アーム部材３０の下部３０ｄに回動可能に支持されている。右側の閂３の先端部は、グラブボックス２に対して右側に位置する内装部材に係脱する。アーム部材３０は、閂３がグラブボックス２から内装部材に対して進退するように、グラブボックス２を閉じたロック状態に保持するロック位置と、そのグラブボックス２のロック状態を解除させるロック解除位置との間で、揺動中心Ｏ２を中心にして揺動することが可能である。
【００２１】
尚、アーム部材３０は、ロック解除位置側からロック位置に達した際にベース部材１０に当接することで、ロック位置を超える揺動を規制する部位を有している。或いは、このアーム部材３０の規制部位に代えて、アーム部材３０は、ロック解除位置側からロック位置に達した際に閂３が内装部材側に当接してその更なる進出が妨げられることで、ロック位置を超える揺動が規制されるものである。
【００２２】
アーム部材３０は、スプリング用係止部３２と、ノブ用当接部３３と、を有している。スプリング用係止部３２は、後に詳述するスプリング部材４０の他端部４０ｂが係止される部位であって、アーム部材３０の下部３０ｄに設けられている。スプリング用係止部３２は、スプリング部材４０の他端部４０ｂが嵌るように溝状に形成されている。ノブ用当接部３３は、ノブ部材２０のアーム用当接部２４に当接する部位であって、アーム部材３０の上部３０ｕに設けられている。ノブ用当接部３３は、アーム部材３０におけるベース部材１０に向いた面からそのベース部材１０に向けて突出するように形成されている。
【００２３】
スプリング部材４０は、ベース部材１０の下方軸部１３ｄの回りにノブ部材２０を閉位置へ回動させると共にアーム部材３０をロック位置へ揺動させる付勢力を発生する捻りコイルバネである。スプリング部材４０は、ベース部材１０の軸部１３（具体的には、下方軸部１３ｄ）に回転可能に外挿されている。スプリング部材４０は、ベース部材１０に固定されておらず、下方軸部１３ｄの回りの回転が許容されるように支持されている。スプリング部材４０は、一端部４０ａでノブ部材２０のスプリング用係止部２５に係止され、他端部４０ｂでアーム部材３０のスプリング用係止部３２に係止されるように構成されている。
【００２４】
ノブ部材２０は、閉位置でアーム用当接部２４にアーム部材３０のノブ用当接部３３が当接してそのアーム用当接部２４からそのノブ用当接部３３に付与する押圧力がほとんどゼロであるように或いはアーム用当接部２４にノブ用当接部３３が当接しないように設定されている。ノブ部材２０の閉位置では、アーム部材３０は、スプリング部材４０の付勢力により揺動中心Ｏ２を中心にして第一回動方向（図２における反時計回り方向及び図７における時計回り方向）に揺動され、ロック位置で揺動規制される。そして、ノブ部材２０が閉位置から開位置へ開操作されると、その操作力により、アーム用当接部２４からノブ用当接部３３に付与する押圧力が大きくなり、アーム部材３０が揺動中心Ｏ２を中心にして上記の第一回動方向とは逆方向の第二回動方向（図２における時計回り方向及び図９における反時計回り方向）に揺動する。
【００２５】
スプリング部材４０は、ノブ部材２０の閉位置で閂ロックによりスプリング部材４０の自然状態よりも周方向に巻かれた状態に維持されている。スプリング部材４０は、ノブ部材２０を閉位置に向けて回動させると共にアーム部材３０をロック位置に向けて揺動させる付勢力Ｆを発生する。スプリング部材４０の付勢力Ｆは、ノブ部材２０の閉位置で最も小さい力Ｆ０であり、ノブ部材２０の閉位置から開位置にかけて徐々に大きくなる。
【００２６】
スプリング部材４０は、一端部４０ａがノブ部材２０を閉位置へ回動させる軸部１３回り（中心Ｏ１）の回転方向（図６における反時計回り方向）と、他端部４０ｂがアーム部材３０をロック位置へ回動させる軸部１３回り（中心Ｏ１）の回転方向（図６における時計回り方向）と、が互いに逆向きであるように構成されている。また、スプリング部材４０は、ノブ部材２０の閉位置側から開位置側への回動時（開操作時）、ノブ部材２０との係止により一端部４０ａ側が軸部１３回りで回転する回転方向（図６における時計回り方向）と、ノブ部材２０とアーム部材３０との当接に伴うアーム部材３０の揺動により他端部４０ｂ側が軸部１３回りで回転する回転方向（図６における反時計回り方向）と、が互いに逆向きであるように構成されている。
【００２７】
次に、グラブボックスロック装置１の動作について説明する。
グラブボックスロック装置１において、スプリング部材４０は、ベース部材１０の下方軸部１３ｄの回りにノブ部材２０を閉位置へ回動させると共にアーム部材３０をロック位置へ揺動させる付勢力を発生する。このため、グラブボックス２が閉じられている状態でノブ部材２０が開操作されていないときは、そのスプリング部材４０の付勢力により、そのノブ部材２０が閉位置に維持されると共に、アーム部材３０がロック位置に維持される。この場合には、閂３がグラブボックス２から内装部材側へ進出して内装部材側と係合することで、グラブボックス２が閉扉されている。
【００２８】
そして、グラブボックス２の閉状態でノブ部材２０が閉位置から開操作されると、そのノブ部材２０のアーム用当接部２４がアーム部材３０のノブ用当接部３３に当接してそのアーム部材３０を上記の第二回動方向へ押圧するので、そのアーム部材３０がスプリング部材４０の付勢力に抗して上記の第二回動方向へ揺動する。そして、アーム部材３０がロック解除位置まで揺動すると、閂３がグラブボックス２側に後退して内装部材側との係合が解除されることで、グラブボックス２が開扉される。
【００２９】
また、上記の如くノブ部材２０の開操作に伴ってアーム部材３０が揺動すると、ノブ部材２０の開操作によってスプリング部材４０からノブ部材２０に付与される閉位置方向への付勢力が大きくなる。このため、ノブ部材２０の開操作時における荷重出しを実現することができる。また、ノブ部材２０の開操作に伴ってアーム部材３０が揺動すると、アーム部材３０の揺動によってスプリング部材４０からアーム部材３０に付与されるロック位置方向への付勢力が大きくなる。このため、アーム部材３０のロック解除位置への揺動後、ノブ部材２０の開操作が解除された後にアーム部材３０がロック解除位置からロック位置まで自動的に復元する動作を実現させることができる。これにより、グラブボックス２が開扉された後、その開扉状態で閂３をグラブボックス２から内装部材側へ進出させて内装部材側と係合可能とすることができる。
【００３０】
また、グラブボックス２が開扉状態から操作者の押圧操作により閉扉される際には、閂３が、内装部材側へ進出した状態でその内装部材側との係合直前にスプリング部材４０の付勢力に抗してその内装部材側の係合部位に押圧されることでグラブボックス２側へ僅かに後退する。閂３が後退すると、アーム部材３０がロック位置からロック解除位置側へ揺動する。この際における閂３の後退量すなわちアーム部材３０のロック解除位置側への揺動角度は、スプリング部材４０においてノブ部材２０を閉位置へ回動させると共にアーム部材３０をロック位置へ揺動させる付勢力が常に発生するように設定されている。
【００３１】
アーム部材３０は、スプリング部材４０の付勢力によりロック位置へ付勢されている。このため、上記の如く内装部材側の係合部位から閂３に付与された後退方向側の押圧力が無くなると、スプリング部材４０の付勢力によるアーム部材３０のロック位置への揺動により閂３が再び内装部材側へ進出する。この場合には、閂３が内装部材側と係合することで、グラブボックス２が閉扉される。また、この場合には、グラブボックス２が開扉状態から閉扉される過程で、スプリング部材４０からノブ部材２０に付与される閉位置方向への付勢力が継続して維持されるので、ノブ部材２０が開位置側へ回動するのを防止することができ、これにより、グラブボックス２の開扉から閉扉への移行時におけるノブ部材２０のガタツキを防止することができる。
【００３２】
また、グラブボックスロック装置１においては、グラブボックス２の開扉から閉扉への移行時にノブ部材２０をガタつかせることなくグラブボックス２を開閉させるロック機能を、一つのスプリング部材４０を用いて実現することができる。このスプリング部材４０は、ベース部材１０の軸部１３（具体的には、下方軸部１３ｄ）に回転可能に外挿されており、ベース部材１０に固定されておらず回転可能に支持されている。
【００３３】
スプリング部材４０の付勢力は、一端部４０ａがノブ部材２０を閉位置へ回動させる軸部１３回りの回転方向と、他端部４０ｂがアーム部材３０をロック位置へ回動させる軸部１３回りの回転方向と、が互いに逆向きであるように作用する。この構造によれば、スプリング部材４０をベース部材１０に対して自己的に固定することができ、スプリング部材４０の中央部をベース部材１０に固定具を用いて固定することは不要である。このため、グラブボックスロック装置１の組み立て時においてスプリング部材４０を取り扱い易くすることができ、スプリング部材４０を組み付けし易くすることができ、これにより、グラブボックスロック装置１の組み付け工数を削減することができ、製造コストを削減することが可能である。
【００３４】
従って、グラブボックスロック装置１によれば、グラブボックス２の開扉から閉扉への移行時にノブ部材２０をガタつかせることなくグラブボックス２を開閉させるロック機能を、一つのスプリング部材４０を用いて実現しつつ、その組付け工数を削減することができる。
【００３５】
ところで、上記の実施形態においては、ベース部材１０の軸部１３が上下方向に延び、ノブ部材２０がその軸部１３を中心にして水平方向を含む面内で揺動する。しかしながら、本発明は、これに限定されるものではなく、ベース部材１０の軸部１３が水平方向に延び、ノブ部材２０がその軸部１３を中心にして鉛直方向を含む面内で揺動するものに適用することとしてもよい。
【００３６】
また、上記の実施形態においては、ベース部材１０の水平部１２、軸部１３、及び軸部１５が上下二箇所に設けられていると共に、スプリング部材４０が下方軸部１３ｄに回転可能に外挿され、アーム部材３０が下側の軸部１５に揺動可能に外挿されている。しかしながら、本発明は、これに限定されるものではなく、スプリング部材４０が上方軸部１３ｕに回転可能に外挿され、アーム部材３０が上側の軸部１５に揺動可能に外挿されるものに適用することとしてもよい。
【００３７】
また、上記の実施形態においては、グラブボックス２が、図１及び図２に示す如くノブ部材２０の右側がベース部材１０に対して手前に引かれる右側開操作により開動作することとしている。しかし、本発明は、これに限定されるものではなく、グラブボックス２が、ノブ部材２０の左側がベース部材１０に対して手前に引かれる左側開操作により開動作するものに適用することとしてもよい。尚、上記の実施形態においては、ベース部材１０が、それぞれ上下二箇所に設けられた、水平部１２、軸部１３、及び軸部１５を有している。このため、グラブボックス２の開動作をノブ部材２０の右側開操作で実現する構成と、グラブボックス２の開動作をノブ部材２０の左側開操作で実現する構成と、でベース部材１０を含む部品の共通化を図ることができる。
【００３８】
尚、本発明は、上述した実施形態や変形形態に限定されるものではなく、本発明の趣旨を逸脱しない範囲で種々の変更を施すことが可能である。
【符号の説明】
【００３９】
１：グラブボックスロック装置、２：グラブボックス、３：閂、１０：ベース部材、１３：軸部、２０：ノブ部材、２４：アーム用当接部、２５：スプリング用係止部、３０：アーム部材、３２：スプリング用係止部、３３：ノブ用当接部、４０：スプリング部材。
【図１】
2020084732.tif 000003
【図２】
2020084732.tif 000004
【図３】
2020084732.tif 000005
【図４】
2020084732.tif 000006
【図５】
2020084732.tif 000007
【図６】
2020084732.tif 000008
【図７】
2020084732.tif 000009
【図８】
2020084732.tif 000010
【図９】
2020084732.tif 000011